(57)【要約】【課題】冬期に、一部の室で暖房を行った場合に、暖房を行っていない室で結露やカビを生じるのを防止できる、結露レス暖房システムを提供する。【解決手段】リビング２が暖房室、和室３が非暖房室であるとき、和室３の湿度センサー７からの信号に基づいて、和室３の相対湿度が許容値、例えば８０ＲＨ％を越えないように和室３のエアコン５を駆動する制御を、制御装置６が行うようになされている。【選択図】      図１
2005241149.tif 000002
【特許請求の範囲】
【請求項１】
屋内の複数の室に暖房機が備えられ、各室を個別に暖房できるようになされた暖房システムにおいて、
制御手段が備えられると共に、湿度センサーが備えられ、
一部の室が暖房室、残りの室が非暖房室であるとき、非暖房室の湿度センサーからの信号に基づいて、非暖房室の相対湿度が許容値を越えないように非暖房室の暖房機を駆動する制御を、前記制御手段が行うようになされていることを特徴とする結露レス暖房システム。
【請求項２】
駆動された前記非暖房室の暖房機は、非暖房室の温度が暖房室の温度よりも低い温度を保つように制御されるものとなされている請求項１に記載の結露レス暖房システム。
【発明の詳細な説明】
【技術分野】
【０００１】
本発明は、結露やカビの発生を防ぐ結露レス暖房システムに関する。
【背景技術】
【０００２】
例えば、図３（イ）に示すように、一階に和室５３とリビング５２が備えられている戸建て住宅５１において、リビング５２と和室５３とを個別に暖房できるように、これらの室５２，５３のそれぞれにヒートポンプ式のエアコン５４，５５を設置することは、従来より行われている。
【発明の開示】
【発明が解決しようとする課題】
【０００３】
しかしながら、上記のような戸建て住宅５１において、リビング５２のエアコン５４はよく使うが、和室５３のエアコン５５はあまり使わないというような場合に、冬期に、和室５３に結露を生じたり、カビが生える被害を生じることがある。
【０００４】
本発明は、上記のような従来の問題点に鑑み、屋内の複数の室に暖房機が備えられ、各室を個別に暖房できるようになされていて、冬期に、一部の室で暖房を行った場合に、暖房を行っていない室で結露やカビを生じるのを防止することができる、結露レス暖房システムを提供することを課題とする。
【課題を解決するための手段】
【０００５】
上記の課題において、本発明者は、和室５３で結露やカビを生じる原因がなんであるのかを明らかにするため、種々調査と実験を行った結果、原因は次の点にあることを特定するに至った。
【０００６】
即ち、人の居ない和室５３のエアコン５５を停止したまま、人の居るリビング５２をエアコン５４で暖房し、リビング５２の室温を例えば２０°Ｃ、相対湿度を６０ＲＨ％にすると、リビング５２の絶対湿度は８．８ｇ／ｍ3となり、水蒸気の拡散現象で、和室３の絶対湿度も８．８ｇ／ｍ3となった。そのため、暖房していない和室５３の室温が、１３°Ｃであると、和室５３の相対湿度は９５ＲＨ％の高湿状態になってしまい、それが、和室５３での結露やカビの発生原因となっていたのである。
【０００７】
本発明は、上記のような原因解明に基づいてなされたものであって、上記の課題を、屋内の複数の室に暖房機が備えられ、各室を個別に暖房できるようになされた暖房システムにおいて、
制御手段が備えられると共に、湿度センサーが備えられ、
一部の室が暖房室、残りの室が非暖房室であるとき、非暖房室の湿度センサーからの信号に基づいて、非暖房室の相対湿度が許容値を越えないように非暖房室の暖房機を駆動する制御を、前記制御手段が行うようになされていることを特徴とする結露レス暖房システムによって解決した。
【０００８】
この暖房システムでは、暖房室での暖房によって非暖房室の相対湿度が高くなると、それを検知して、非暖房室の暖房機が駆動するようになされているので、冬期に、非暖房室の相対湿度が許容限度を越えて高くなることがなく、そのため、暖房を行っていない室で結露やカビを生じるのを防止することができる。なお、結露やカビの発生を防ぐための非暖房室の相対湿度の許容値は、例えば８０ＲＨ％である。
【０００９】
上記のシステムにおいて、駆動された前記非暖房室の暖房機は、非暖房室の温度が暖房室の温度よりも低い温度を保つように制御されるものとなされているとよい。この場合は、非暖房室での結露やカビの発生を防ぐことができながら、それに要するエネルギーコストを低く抑えることができ、しかも、暖房室と非暖房室との間でのヒートショックを和らげることができる。
【発明の効果】
【００１０】
本発明は、以上のとおりのものであるから、屋内の複数の室に暖房機が備えられ、各室を個別に暖房できるようになされていて、冬期に、一部の室で暖房を行った場合に、暖房を行っていない室で結露やカビを生じるのを防止することができる。
【発明を実施するための最良の形態】
【００１１】
次に、本発明の実施最良形態を図面に基づいて説明する。
【００１２】
図１（イ）（ロ）に示す実施形態の結露レス暖房システムは、戸建て住宅の建物１に用いた場合のもので、２は暖房室としてのリビング、３は非暖房室としての和室であり、各室２，３には、暖房機としてのヒートポンプ式エアコン４，５が設置されている。そして、これらエアコン４，５の駆動を制御する制御装置６が備えられると共に、和室３には湿度センサー７が備えられ、湿度センサー７からの検知信号が制御装置６に送られるようになされている。なお、８は玄関、９は廊下、１０はダイニング、１１はキッチン、１２は洗面脱衣室、１３は浴室、１４はトイレである。
【００１３】
上記の暖房システムでは、図２（イ）に示すように、冬期に、屋内１５の温度が１３°Ｃである場合に、和室３のエアコン４を停止したまま、リビング２のエアコン４を駆動し、リビング２を、室温２０°Ｃ、相対湿度６０ＲＨ％に向けて暖房していくと、その過程で、リビング２の絶対湿度が上昇していき、そして、水蒸気の拡散作用によって和室３の絶対湿度も上昇していき、それによって、和室３の相対湿度が上昇していく。
【００１４】
この相対湿度が、結露やカビに対する許容値である８０ＲＨ％に達した時、和室３の湿度センサー７からその湿度信号が制御装置６に送られ、制御装置６による制御で和室３のエアコン５が駆動を開始し、和室３の室温が上昇していき、和室３の相対湿度が許容値である８０ＲＨ％を越えてしまうのが防がれる。
【００１５】
そして、本実施形態では、制御装置６は、和室３のエアコン５に駆動開始信号を送る際に、併せて、和室３の温度設定信号も送るようになされており、その設定温度は、リビング２のエアコン４の設定温度よりも所定の温度、例えば４°Ｃ低い温度が選ばれるようになされている。
【００１６】
これにより、図２（ロ）に示すように、リビング２の室温が２０°Ｃ、相対湿度が６０ＲＨ％になり、リビング２の絶対湿度が８．８ｇ／ｍ3になって水蒸気の拡散現象により和室３の絶対湿度が８．８ｇ／ｍ3になっても、和室３は、室温が１６°Ｃに上昇することによって、相対湿度は７８ＲＨ％になり、和室３で結露やカビを生じるのが防止される。また、本実施形態では、和室３がリビング２よりも低い温度に暖房されるようになされているので、和室３での結露やカビの発生を防ぐのに要するエネルギーコストを低く抑えることができ、しかも、リビング２と和室３との間でのヒートショックを和らげることもできる。
【００１７】
以上に、本発明の実施形態を示したが、本発明はこれに限られるものではなく、発明思想を逸脱しない範囲で各種の変更が可能である。例えば、上記の実施形態では、和室３の温度設定を、制御装置６による制御で行う場合を示したが、リビング２の暖房設定温度が決まっている場合には、制御装置６による制御によらずに、和室３のエアコン５に備えられた温度設定機能を使用して予め特定の温度に設定しておくのもよい。
【００１８】
また、上記の実施形態では、リビング２を暖房室、和室３を非暖房室とした場合について説明しているが、和室３を暖房室、リビング２を非暖房室としたシステム構成が採られてもよいし、また、リビング２を暖房室、和室３を非暖房室としたり、和室３を暖房室、リビング２を非暖房室としたりすることができるシステム構成が採られてもよい。もちろん、リビング２と和室３に限らず、リビングとリビング、和室と和室であってもよいし、二室間の関係に限らず、三つ以上の室間の関係でシステムを構成することも可能である。
【００１９】
更に、上記の実施形態では、暖房機がヒートポンプ式エアコンである場合を示しているが、暖房機は、ガスや灯油を用いた暖房機であってもよいし、温水や電気などによる床暖房機であってもよいし、暖房機であればよい。また、本発明のシステムは、戸建て住宅に限らず、マンション等の集合住宅の各戸において用いることができるし、また、事務所用建物等、各種建物に広く用いることができるものであることはいうまでもない。
【図面の簡単な説明】
【００２０】
【図１】実施形態を示すもので、図（イ）は戸建て住宅の一階平面間取り図、図（ロ）はシステムの構成を概念的に示す説明図である。
【図２】図（イ）及び図（ロ）はそれぞれ、システムの作動状態を示す説明図である。
【図３】従来例を示すもので、図（イ）は戸建て住宅の一階平面間取り図、図（ロ）はリビングでの暖房と和室の相対湿度との関係を示す説明図である。
【符号の説明】
【００２１】
２…リビング（暖房室）
３…和室（非暖房室）
４，５…エアコン（暖房機）
６…制御装置（制御手段）
７…湿度センサー
【図１】
2005241149.tif 000003
【図２】
2005241149.tif 000004
【図３】
2005241149.tif 000005